(57)【要約】【課題】寒冷地の冬季に、本来の熱交換換気を継続することができる小型で低消費電力である熱交換形換気装置を提供することを目的とする。【解決手段】熱交換形換気装置は、第１熱交換器２３と第２熱交換器２４を本体箱５の中へ備え、第１風向調整板１４及び第２風向調整板を用いて給気送風手段９と排気送風手段１０、循環送風手段１１と熱交換器の接続を繋ぎかえることで、従来の寒冷地に対応した装置より小型化し、給気送風手段９及び排気送風手段１０と循環送風手段１１の原動機を別にすることで、循環送風手段１１を停止でき、消費電力を抑えることができる。【選択図】図１
2010236768.tif 000002
【特許請求の範囲】
【請求項１】
室外より室外の空気を吸い込む室外吸込口と室内より室内の空気を吸い込む室内吸込口と室外へ室内の空気を排気する室外排出口と室内へ室外の空気を給気する室内給気口を備えた本体箱内に、室外空気を通風させる給気流路を流れる室外の空気と室内空気を通風させる排気流路を流れる室内の空気とを熱交換する熱交換器を複数備え、室外の空気を吸い込み、前記給気流路を通じて室内へ給気を行う給気送風手段と、室内の空気を吸い込み、前記排気流路を通じて室外へ排気を行う排気送風手段と、室内の空気を吸い込み、前記排気流路を通じて室内へ空気を循環させる循環送風手段を備え、前記給気送風手段及び前記排気送風手段といずれかの前記熱交換器を接続し、前記循環送風手段と他の熱交換器を接続し、前記給気送風手段及び前記排気送風手段、前記循環送風手段と接続する前記熱交換器を選択する選択手段を備えた構成であって、前記給気送風手段及び前記排気送風手段を駆動させる給気排気原動機と前記循環送風手段を駆動させる循環原動機を備えることを特徴とする熱交換形換気装置。
【請求項２】
給気送風手段を、給気流路から空気を吸い込み、室内へ給気するように配置するとともに、排気送風手段を、排気流路から空気を吸い込み、室外へ排気するように配置することを特徴とする請求項１に記載の熱交換形換気装置。
【請求項３】
給気排気原動機が給気送風手段によって形成される風路内に設置されていることを特徴とする請求項２に記載の熱交換形換気装置。
【請求項４】
循環送風手段を、排気流路から空気を吸い込み、室内へ排気するように配置することを特徴とする請求項１に記載の熱交換形換気装置。
【請求項５】
循環原動機が循環送風手段によって形成される風路内に設置されていることを特徴とする
請求項４に記載の熱交換形換気装置。
【請求項６】
給気送風手段及び排気送風手段、循環送風手段はそれぞれ羽根車を備え、循環送風手段の羽根車は給気送風手段及び排気送風手段の羽根車よりも体積を小さくした構成を特徴とする請求項１に記載の熱交換形換気装置。
【請求項７】
給気送風手段と接続する熱交換器を選択する選択手段である第１風向調整板を備えることを特徴とする請求項１に記載の熱交換形換気装置。
【請求項８】
第１風向調整板が、給気送風手段と接続する熱交換器を選択して切り換えできることと、かつ、前記給気送風手段が、全ての熱交換器と接続できることを特徴とする請求項７に記載の熱交換形換気装置。
【請求項９】
循環原動機は、給気送風手段が全ての熱交換器と接続する場合には停止することを特徴とする請求項８に記載の熱交換形換気装置。
【請求項１０】
第１風向調整板を、室外吸込口と、熱交換器の間に備えることを特徴とする請求項７〜９のいずれかに記載の熱交換形換気装置。
【請求項１１】
第１風向調整板が給気送風手段と熱交換器の接続を切り換える時に、給気排気原動機の回転数を低下させる構成とすることを特徴とする請求項７〜１０のいずれかに記載の熱交換形換気装置。
【請求項１２】
排気送風手段及び循環送風手段と接続する熱交換器を選択する選択手段である第２風向調整板を備えることを特徴とする請求項７に記載の熱交換形換気装置。
【請求項１３】
第２風向調整板が、循環送風手段と全ての熱交換器の接続を遮断することができることを特徴とする請求項７〜１２に記載の熱交換形換気装置。
【請求項１４】
循環原動機は、第２風向調整板によって、循環送風手段が熱交換器と接続する場合に駆動し、前記第２風向調整板によって、前記循環送風手段が熱交換器と接続しない場合には停止することを特徴とする請求項１３に記載の熱交換形換気装置。
【請求項１５】
第１風向調整板の切り換えに合わせて、第２風向調整板は、排気送風手段が前記給気送風手段の接続する熱交換器へ接続し、かつ循環送風手段が前記第１及び排気送風手段が接続していない前記熱交換器へ接続するように切り換わることを特徴とする請求項７〜１４のいずれかに記載の熱交換形換気装置。
【請求項１６】
第２風向調整板が循環送風手段と熱交換器を接続した直後、または、前記循環送風手段に接続される熱交換器を切り換えた直後に、循環原動機の回転数を上昇させることを特徴とする請求項１３に記載の熱交換形換気装置。
【請求項１７】
排気流路の出口から室外排出口の間に、結露や凍結の状態を検知できる結露検知手段を備え、前記結露検知手段の検出値により給気排気原動機の回転数を低下させ、循環原動機の回転数を上昇させることを特徴とする請求項１〜１６のいずれかに記載の熱交換形換気装置。
【請求項１８】
室内給気口の空気の温度を検知する温度検知手段を備え前記室内給気口から供給される空気の温度が所定の温度を下回った場合、給気排気原動機の回転数を低下させ、循環原動機の回転数を上昇させることを特徴とする請求項１から１７のいずれかに記載の熱交換形換気装置。
【請求項１９】
給気流路へ室外の空気が流入しないようにする風路遮蔽手段を備えることを特徴とする請求項１〜１８のいずれかに記載の熱交換形換気装置。
【請求項２０】
循環原動機の運転時は給気送風手段によって室内へ送られる室外の空気と、循環送風手段によって室内へ送られる室内の空気を混合して排出する構成を特徴とする請求項１または１８に記載の熱交換形換気装置。
【請求項２１】
熱交換器を、排気流路の流入口が鉛直下方向へ向き、前記排気流路の流出口が前記流入口に比べ鉛直上方向に位置する構成としたことを特徴とする請求項１〜２０のいずれかに記載の熱交換形換気装置。
【請求項２２】
排気流路の流入口の鉛直下方向には皿状の構造が配置されていることを特徴とする請求項２１に記載の熱交換形換気装置。
【発明の詳細な説明】
【技術分野】
【０００１】
本発明は、寒冷地等で使用され、室内の空気を室外へ排気する排気流と、室外の空気を室内へ給気する給気流との間で熱交換する熱交換形換気装置に関する。
【背景技術】
【０００２】
この種の熱交換形換気装置は、冬季に室外の温度が、例えば−１０℃以下のような低い温度になると、室内からの温かい排気流が流れる熱交換器内の流路内において、隣接する給気の流路に室外から通風される冷たい給気の影響を受けて凍結し目詰まりしていくが、従来の熱交換形換気装置では、この凍結による目詰まりを防止する構成をとっていた（例えば、特許文献１参照）。
【０００３】
また、室外の温度が−２５℃のようなきわめて低い温度となる地域では、実用に供する熱交換形換気装置がないのが実状であった。
【０００４】
以下、特許文献１に示す熱交換形換気装置について、図１０を参照しながら説明する。
【０００５】
図１２に示すように、熱交換器ユニット１０１は室内の空気と室外の空気の間で熱交換換気を行い、熱交換器ユニット１０１は、熱交換器１０２と、室内の空気を室外へ排気し、熱交換器１０２を経由する排気経路１０３と、室外の空気を室内へ給気し、熱交換器１０２を経由する給気経路１０４と、排気経路１０３に組み込まれる排気ファン１０５と、給気経路１０４に組み込まれる給気ファン１０６と、室外の空気の外気温度を検出する温度センサー１０７と、温度センサー１０７で検出した外気温度によって排気ファン１０５と給気ファン１０６の運転制御を行う制御部を備えている。
【０００６】
そして、熱交換器ユニット１０１の制御部は、外気温度が−１０℃を下回った時に、熱交換器１０２が凍結することを抑えるため、外気温度に応じて２つの凍結抑制制御を行い、この２つの凍結抑制制御は第１凍結抑制制御及び第２凍結抑制制御である。
【０００７】
第１凍結抑制制御は、外気温度が−１０℃を下回った場合に、熱交換器１０２の凍結を抑制する制御であり、排気ファン１０５を常時作動させ、給気ファン１０６の動作を６０分のうち最初の１５分だけ休止させる運転を繰り返す。
【０００８】
第２凍結抑制制御は、外気温度が−１５℃を下回った場合に、第１凍結抑制制御よりも強力に熱交換器１０２の凍結を抑制する制御であり、排気ファン１０５及び給気ファン１０６の間欠運転を行う。第２凍結抑制制御は、排気ファン１０５及び給気ファン１０６を６０分休止させた後に５分だけ作動を再開させる運転を繰り返す。
【特許文献１】特許第３７４４４０９号公報
【発明の開示】
【発明が解決しようとする課題】
【０００９】
従来の熱交換気装置では、室外がきわめて低い温度となる寒冷地の冬季に運転すると、室内の温かい湿気を含む空気と、室外のきわめて低い温度の空気とで熱交換器の排気流路において結露が発生する。そのまま運転を継続すると結露水は排気流路に徐々に溜まり、更に運転を継続すると結露水は凍結していき排気流路が塞がって、排気が行えなくなる。
【００１０】
そこで、給気送風手段のみ、もくは給気送風手段と排気送風手段の両方を一時的に停止させることにより排気流路における結露や凍結を生じにくくさせることができるが、給気送風手段のみを停止させると室内が負圧となって建物の隙間から室外の空気が流入し、室内空間にコールドドラフトや結露を生じさせることとなり、給気送風手段と排気送風手段の両方を停止させると、室内の必要換気量を確保することが困難であった。
【００１１】
そのため従来の熱交換気装置においては、結露や凍結の影響を回避して、室内空間におけるコールドドラフトや結露を抑制し必要な換気量を確保しつつ本来の熱交換換気を継続するために、熱交換気装置内に複数の熱交換気構造を備え、室外空気と室内空気とで熱交換しながら換気を行う熱交換気運転と、室内空気により熱交換器の排気流路の結露や凍結を解消させる熱交換器のデフロスト運転とを、順次切り換えることで熱交換気の継続を可能としていたが、熱交換気構造を複数備えることで装置が大型化するという課題があった。
【００１２】
本発明は、このような課題を解決するものであり、室外がきわめて低い温度となる寒冷地の冬季に運転しても、複数の熱交換器を切り換えて用いることで、熱交換器内部での凍結の影響を回避して本来の熱交換換気を継続して実施することができ、さらに、熱交換器と送風手段の接続を繋ぎかえることのできる機構を持たせることで、従来の寒冷地に対応した装置より小型化を実現できる熱交換装置を提供することを目的としている。
【課題を解決するための手段】
【００１３】
そして、この目的を達成するために本発明は、室外より室外の空気を吸い込む室外吸込口と室内より室内の空気を吸い込む室内吸込口と室外へ室内の空気を排気する室外排出口と室内へ室外の空気を給気する室内給気口を備えた本体箱内に、室外空気を通風させる給気流路と室内空気を通風させる排気流路を備え、前記給気流路を流れる室外の空気と前記排気流路を流れる室内の空気とを熱交換する熱交換器を複数備え、室外の空気を吸い込み、前記給気流路を通じて室内へ給気を行う給気送風手段と、室内の空気を吸い込み、前記排気流路を通じて室外へ排気を行う排気送風手段と、室内の空気を吸い込み、前記排気流路を通じて室内へ空気を循環させる循環送風手段を備え、前記給気送風手段及び前記排気送風手段といずれかの前記熱交換器を接続し、前記循環送風手段と他の熱交換器を接続し、前記給気送風手段及び前記排気送風手段、前記循環送風手段と接続する前記熱交換器を選択する選択手段を備えた構成であって、前記給気送風手段及び前記排気送風手段を駆動させる給気排気原動機と前記循環送風手段を駆動させる循環原動機を備えることを特徴とする熱交換形換気装置である。
【００１４】
また、他の手段は、給気送風手段を、給気流路から空気を吸い込み、室内へ給気するように配置するとともに、排気送風手段を、排気流路から空気を吸い込み、室外へ排気するように配置した構成である。
【００１５】
また、他の手段は、給気排気原動機が給気送風手段によって形成される風路内に設置されている構成である。
【００１６】
また、他の手段は、循環送風手段を、排気流路から空気を吸い込み、室内へ排気するように配置した構成である。
【００１７】
また、他の手段は、循環原動機が循環送風手段によって形成される風路内に設置された構成である。
【００１８】
また、他の手段は、給気送風手段及び排気送風手段、循環送風手段はそれぞれ羽根車を備え、循環送風手段の羽根車は給気送風手段及び排気送風手段の羽根車よりも体積を小さくした構成である。
【００１９】
また、他の手段は、給気送風手段と接続する熱交換器を選択する選択手段である第１風向調整板を備える構成である。
【００２０】
また、他の手段は、第１風向調整板が、給気送風手段と接続する熱交換器を選択して切り換えでき、かつ、前記給気送風手段が、全ての熱交換器と接続できる構成である。
【００２１】
また、他の手段は、循環原動機は、給気送風手段が全ての熱交換器と接続する場合に停止する構成である。
【００２２】
また、他の手段は、第１風向調整板を、室外吸込口と、熱交換器の間に備える構成である。
【００２３】
また、他の手段は、第１風向調整板が給気送風手段と熱交換器の接続を切り換える時に、給気排気原動機の回転数を一時的に低下させる構成である。
【００２４】
また、他の手段は、排気送風手段及び循環送風手段と接続する熱交換器を選択する選択手段である第２風向調整板を備える構成である。
【００２５】
また、他の手段は、第２風向調整板が、循環送風手段と全ての熱交換器の接続を遮断することができる構成である。
【００２６】
また、他の手段は、循環原動機が、第２風向調整板によって循環送風手段が熱交換器と接続する場合に駆動し、前記第２風向調整板によって前記循環送風手段が熱交換器と接続しない場合には停止する構成である。
【００２７】
また、他の手段は、第１風向調整板の切り換えに合わせて、第２風向調整板は排気送風手段が前記給気送風手段の接続する熱交換器へ接続し、かつ循環送風手段が前記給気送風手段及び排気送風手段が接続していない前記熱交換器へ接続するように切り換わる構成である。
【００２８】
また、他の手段は、第２風向調整板が循環送風手段と熱交換器を接続した直後、または、前記循環送風手段に接続される熱交換器を切り換えた直後に、一時的に循環原動機の回転数を上昇させる構成である。
【００２９】
また、他の手段は、排気流路の出口から室外排出口の間に、結露や凍結の状態を検知できる結露検知手段を備え、前記結露検知手段の検出値により給気排気原動機の回転数を低下させ、循環原動機の回転数を上昇させる構成である。
【００３０】
また、他の手段は、室内給気口の空気の温度を検知する温度検知手段を備え、前記室内給気口から供給される空気の温度が所定の温度を下回った場合、給気排気原動機の回転数を低下させ、循環原動機の回転数を上昇させる構成である。
【００３１】
また、他の手段は、給気流路へ室外の空気が流入しないようにする風路遮蔽手段を備える構成である。
【００３２】
また、他の手段は、循環原動機の運転時は給気送風手段によって室内へ送られる室外の空気と、循環送風手段によって室内へ送られる室内の空気を混合して排出する構成である。
【００３３】
また、他の手段は、熱交換器が、排気流路の流入口が鉛直下方向へ向き、前記排気流路の流出口が前記流入口に比べ鉛直上方向に位置する構成である。
【００３４】
また、他の手段は、排気流路の流入口の鉛直下方向には皿状の構造が配置されている構成である。
【発明の効果】
【００３５】
本発明によれば、室外がきわめて低い温度となる寒冷地の冬季に運転しても、複数の熱交換器を切り換えて用いることで、熱交換器内部での凍結の影響を回避して本来の熱交換換気を継続して実施することができ、さらに、熱交換器と送風手段の接続を繋ぎかえることのできる機構を持たせることで、従来の寒冷地に対応した装置より小型化を実現すると共に、送風手段の数を必要最小限に抑えることができる。
【００３６】
しかも、給気・排気用送風手段とデフロスト運転用の循環送風手段の原動機を別にすることでデフロスト運転が必要ない時期にデフロスト運転用の循環送風手段の原動機を停止するなど、デフロスト運転状況に合わせたデフロスト運転用の循環送風手段の制御が可能になり、本来の熱交換換気を継続して実施する上でデフロスト運転に使用する電力を必要最小限に抑えられ、熱交換装置の消費電力を抑えることができる
【発明を実施するための最良の形態】
【００３７】
本発明の請求項１に記載の熱交換形換気装置は、室外より室外の空気を吸い込む室外吸込口と室内より室内の空気を吸い込む室内吸込口と室外へ室内の空気を排出する室外排出口と室内へ室外の空気を給気する室内給気口を備えた本体箱内に、室外空気を通風させる給気流路と室内空気を通風させる排気流路を備え、前記給気流路を流れる室外の空気と前記排気流路を流れる室内の空気とを熱交換する熱交換器を複数備え、室外の空気を吸い込み、前記給気流路を通じて室内へ給気を行う給気送風手段と、室内の空気を吸い込み、前記排気流路を通じて室外へ排気を行う排気送風手段と、室内の空気を吸い込み、前記排気流路を通じて室内へ空気を循環させる循環送風手段を備え、前記給気送風手段及び前記排気送風手段といずれかの前記熱交換器を接続し、前記循環送風手段と他の熱交換器を接続し、前記給気送風手段及び前記排気送風手段、前記循環送風手段と接続する前記熱交換器を選択する選択手段を備えた構成であって、前記給気送風手段及び前記排気送風手段を駆動させる給気排気原動機と前記循環送風手段を駆動させる循環原動機を備える構成であり、室外がきわめて低い温度になり熱交換器内に結露や凍結が発生して熱交換が困難になる時に、複数の熱交換器にて熱交換気運転熱交換気運転とデフロスト運転を順次切り換える構成とすることで、本来の熱交換換気を継続させることができ、前記熱交換気運転に使用する熱交換器と前記デフロスト運転に使用する熱交換器とで組み合わせる給気用送風手段を共通にすることで、熱交換器ごと、目的ごとに送風手段を揃える必要を無くし、送風手段の削減が図られ小型化できる他、前記熱交換気運転に使用する給気送風手段及び排気送風手段を駆動する給気排気原動機と前記デフロスト運転を行うための循環送風手段を駆動する循環原動機が別になっているので、前記熱交換気運転のみをした場合に、前記循環送風手段を停止でき、消費電力を低減することができる。
【００３８】
また、請求項２に記載の熱交換形換気装置は、請求項１に記載の熱交換形換気装置について、給気送風手段を、給気流路から空気を吸い込み、室内へ給気するように配置するとともに、排気送風手段を排気流路から空気を吸い込み、室外へ排気するように配置する構成であり、このことで、給気送風手段及び排気送風手段で給気流路及び排気流路をそれぞれ負圧にして空気を移動させる形となり、前記熱交換器の風の流入分布を整えることで、前記熱交換器の風路間圧力差を小さくできることから、排気流路と給気流路間での風の漏れを低減することができる。
【００３９】
また、請求項３に記載の熱交換形換気装置は、請求項２に記載の熱交換形換気装置について、給気排気原動機が給気送風手段によって形成される風路内に設置されている構成であり、熱交換後に室内へ給気する空気を給気排気原動機の排熱で暖めることができ、室内へ給気する空気の温度を上昇させることができる。
【００４０】
また、請求項４に記載の熱交換形換気装置は、請求項１に記載の熱交換形換気装置について、循環送風手段を排気流路から空気を吸い込み、室内へ排気するように配置する構成であり、循環送風手段によって駆動される排気流路を負圧にすることで、前記循環送風手段運転中に前記排気流路から低温の給気流路へ湿度の高い室内空気が流入することを防ぎ、前記給気流路内に結露や凍結が発生することを抑制できる。
【００４１】
また、請求項５に記載の熱交換形換気装置は、請求項４に記載の熱交換形換気装置について、循環原動機が循環送風手段によって形成される風路内に設置されている構成であり、熱交換後に室内へ給気する空気を循環原動機の排熱で暖めることができ、室内へ排気する空気の温度を上昇させることができる。
【００４２】
また、請求項６に記載の熱交換形換気装置は、請求項１に記載の熱交換形換気装置について、循環送風手段の羽根車が給気送風手段及び排気送風手段の羽根車よりも体積の小さい構成であり、循環送風手段が駆動する風路は給気送風手段や排気送風手段が駆動する風路に比べダクト配管が無く通風抵抗が低いことから送風に必要な静圧が小さくなるため、前記羽根車の体積を小さくすることで送風性能を損なわずに熱交換形換気装置を小型化できる。また、羽根車の体積を小さくすることで駆動に必要な動力も小さくなり消費電力を低減することができる。
【００４３】
また、請求項７に記載の熱交換形換気装置は、請求項１に記載の熱交換形換気装置について、給気送風手段と接続する熱交換器を選択する選択手段である第１風向調整板を備える構成であり、給気送風手段が通風させる熱交換器を選択することで熱交換気運転と熱交換器のデフロスト運転の切り換えを行うことができ、熱交換器内部での凍結の影響を回避して本来の熱交換換気を継続して実施することができる。
【００４４】
また、請求項８に記載の熱交換形換気装置は、請求項７に記載の熱交換形換気装置について、第１風向調整板が、給気送風手段と接続する熱交換器を選択して切り換えできることと、かつ、前記給気送風手段が、全ての熱交換器と接続できる構成であり、この構成により、簡単な構成で少なくとも１つの熱交換器へ給気送風手段が通風させるように切り換えができ、熱交換気運転と熱交換器のデフロスト運転の切り換えを容易に行うことができる。
【００４５】
また、請求項９に記載の熱交換形換気装置は、請求項８に記載の熱交換形換気装置について、循環原動機は、給気送風手段が全ての熱交換器と接続する場合に停止する構成であり、全ての熱交換器で熱交換気運転を行っている時に、使用しない循環送風手段及び循環原動機を停止し、消費電力を低減することができる。
【００４６】
また、請求項１０に記載の熱交換形換気装置は、請求項７〜９のいずれかに記載の熱交換形換気装置について、第１風向調整板を、室外吸込口と、熱交換器の間に備える構成であり、循環送風手段と接続している熱交換器への外気の流入を防ぐことで、循環送風手段によるデフロスト運転中に前記熱交換器の温度が低下することを抑制できるので、前記デフロスト運転の効率を上げることができる。
【００４７】
また、請求項１１に記載の熱交換形換気装置は、請求項７〜１０のいずれかに記載の熱交換形換気装置について、第１風向調整板が給気送風手段と熱交換器の接続を切り換える時に、給気排気原動機の回転数を低下させる構成としたもので、第１風向調整板の切換の間に室外空気が複数の熱交換器へ不均一に流入することで給気温度が低下してしまうことを抑制し、給気の熱交換効率の低下を抑制できる。
【００４８】
また、請求項１２に記載の熱交換形換気装置は、請求項７に記載の熱交換形換気装置について、排気送風手段及び循環送風手段と接続する熱交換器を選択する選択手段である第２風向調整板を備える構成であり、簡単な構成で排気送風手段及び循環送風手段が通風させる熱交換器の切換ができ、熱交換気運転と熱交換器のデフロスト運転の切り換えを容易に行うことができる。
【００４９】
また、請求項１３に記載の熱交換形換気装置は、請求項７〜１２のいずれかに記載の熱交換形換気装置について、第２風向調整板が、循環送風手段と全ての熱交換器の接続を遮断することができる構成であり、全ての熱交換器で熱交換気運転を行っている場合に、排気送風手段によって形成される風路へ、循環送風手段によって形成される風路から室内の空気が漏れることを抑制できる。
【００５０】
また、請求項１４に記載の熱交換形換気装置は、請求項１３に記載の熱交換形換気装置について、循環原動機が第２風向調整板によって循環送風手段が熱交換器と接続する場合に駆動し、前記第２風向調整板によって前記循環送風手段が熱交換器と接続しない場合には停止する構成であり、全ての熱交換器で熱交換気運転を行っている時に、使用しない循環送風手段及び循環原動機を停止し、消費電力を低減することができる。
【００５１】
また、請求項１５に記載の熱交換形換気装置は、請求項７〜１４のいずれかに記載の熱交換形換気装置について、第１風向調整板の切り換えに合わせて、第２風向調整板は、排気送風手段が前記給気送風手段の接続する熱交換器へ接続し、かつ循環送風手段が前記給気送風手段及び排気送風手段が接続していない前記熱交換器へ接続するように切り換わる構成であり、複数の熱交換器と風向調整板を用いることで、給気送風手段及び排気送風手段が接続し熱交換気運転を行う熱交換器と、循環送風手段が接続し熱交換器のデフロスト運転を行う熱交換器の切り換えを、簡単な構成で容易に行うことができ、装置を小型化し熱交換気運転の継続を確実に行うことができる。
【００５２】
また、請求項１６に記載の熱交換形換気装置は、請求項１３に記載の熱交換形換気装置について、第２風向調整板が循環送風手段と熱交換器を接続した直後、または前記循環送風手段に接続される熱交換器を切り換えた直後に、循環原動機の回転数を上昇させることを特徴とする構成であり、外気によって冷却された熱交換器でデフロスト運転を開始した時に、デフロスト風量を増加させることで、デフロスト後に室内へ吹き出す風の温度低下を軽減することができる。
【００５３】
また、請求項１７に記載の熱交換形換気装置は、請求項１〜１６のいずれかに記載の熱交換形換気装置について、排気流路の流出口から室外排出口の間に、結露や凍結の状態を検知できる結露検知手段を備え、前記結露検知手段の検出値により給気排気原動機の回転数を低下させ、循環原動機の回転数を上昇させる構成であり、熱交換器に結露や凍結が発生した場合に、それら結露や凍結が乾燥するまで熱交換気運転の風量を落とし、デフロスト運転の風量を増加させることによって、デフロスト効率をあげることができる。
【００５４】
また、請求項１８に記載の熱交換形換気装置は、請求項１から１７のいずれかに記載の熱交換形換気装置について、室内給気口の空気の温度を検知する温度検知手段を備え、前記室内給気口から供給される空気の温度が所定の温度を下回った場合、給気排気原動機の回転数を低下させ、循環原動機の回転数を上昇させる構成であり、給気温度が低すぎる場合に、給排気風量を低下させて熱交換効率を上昇させると共に、熱交換器内での結露・凍結の発生を抑制することができる。
【００５５】
また、請求項１９に記載の熱交換形換気装置は、請求項１〜１８のいずれかに記載の熱交換形換気装置について、給気流路へ室外の空気が流入しないようにする風路遮蔽手段を備える構成であり、換気運転を行っていない場合に、本体内に外気が入り込んだことによる熱交換器の凍結を抑制できる。
【００５６】
また、請求項２０に記載の熱交換形換気装置は、請求項１または１８に記載の熱交換形換気装置について、循環原動機の運転時は給気送風手段によって室内へ送られる室外の空気と、循環送風手段によって室内へ送られる室内の空気を混合して排出する構成であり、室内へ給気される空気の温度を循環送風手段によって室内から吸い込んだ空気によって上昇させることができ、室内給気口近傍の空間の温度低下を抑制することができる。
【００５７】
また、請求項２１に記載の熱交換形換気装置は、請求項１〜２０のいずれかに記載の熱交換形換気装置について、熱交換器を、排気流路の流入口が鉛直下方向へ開口し、前記排気流路の流出口が前記流入口に比べ鉛直上方向に位置する構成であり、前記排気流路に結露水が発生した場合に重力によって前記排気流路の流入口へ熱交換器内の前記結露水を排出することで、前記排気流路から第２風向調整板や排気送風手段もしくは循環送風手段へ前記結露水が流れ込むことを抑制することができる。
【００５８】
また、請求項２２に記載の熱交換形換気装置は、請求項２１に記載の熱交換形換気装置について、排気流路の流入口の鉛直下方向には皿状の構造が配置されている構成であり、前記排気流路に結露水が発生した場合、前記結露水が室内へ流出することを抑制すると共に、前記皿状の構造を通過する室内空気によって前記結露水を乾燥させることができる。
以下、本発明の実施の形態について、図１〜図９を参照しながら説明する。
【００５９】
（実施の形態１）
本発明では少なくとも１台以上の熱交換器を２組用いるが、以下実施の形態では便宜上、請求項１に記載したいずれかの熱交換器は１台で第１熱交換器２３とし、請求項１に記載した他の熱交換器も１台で第２熱交換器２４として説明する。熱交換器を複数台使用した形態については後述する。
【００６０】
図１〜図３の（ａ）に熱交換形換気装置の水平方向の断面図、（ｂ）に熱交換形換気装置の鉛直方向の断面図を示す。図１では、熱交換器２台を用いて熱交換気運転を行う図を、図２、図３では熱交換器２台のうち片側１台を用いて熱交換気運転を行う図を示した。
【００６１】
図１に示すように、熱交換形換気装置は、室外吸込口１と室内吸込口２と室外排出口３と室内給気口４と循環空気排出口２２を備えた本体箱５で構成される。室外吸込口１から吸い込んだ空気は室内給気口４より給気され、室内吸込口２から吸い込んだ空気は室外排出口３または循環空気排出口２２から吐出される。
【００６２】
本体箱５内部には第１熱交換器２３と第２熱交換器２４を備え、第１熱交換器２３は室外の空気を通風させる第１給気流路２５と室内の空気を通風させる第１排気流路２６を備え、第２熱交換器２４は室外の空気を通風させる第２給気流路２７と室内の空気を通風させる第２排気流路２８を備える。
【００６３】
また、送風手段として給気送風手段９と、排気送風手段１０、循環送風手段１１を備え、例えば送風手段として遠心送風機や軸流送風機を用いる。送風手段を駆動させる原動機として給気排気原動機１２と循環原動機１３を備え、送風手段と接続する熱交換器を選択するための選択手段として第１風向調整板１４と第２風向調整板１５を備えた構成である。
【００６４】
さらに本体箱５は、給気排気原動機１２の回転軸に固着された給気送風手段９によって室外の空気を室内へ給気する給気流を通風させる給気流経路２９と、同じく給気排気原動機１２の回転軸に固着された排気送風手段１０によって室内の空気を室外に吐出する排気流を通風させる排気流経路３０、循環原動機１３の回転軸に固着された循環送風手段１１によって室内の空気を熱交換器に通風させ、循環空気排出口２２より室内へ循環させる循環空気流を通風させる循環空気流経路３１を備えた構成である。
【００６５】
第１風向調整板１４は、室外吸込口１に第１熱交換器２３もしくは第２熱交換器２４のどちらか一方または両方を接続し、第２風向調整板１５は、第１熱交換器２３及び第２熱交換器２４を、それぞれ排気送風手段１０もしくは循環送風手段１１のどちらか少なくとも一方に接続する構成である。
【００６６】
排気流経路３０において結露や凍結が起こらない場合では第１熱交換器２３と第２熱交換器２４を用いた熱交換気運転である通常時の熱交換気運転を行い、第１排気流路２６または第２排気流路２８の少なくとも一方において結露や凍結が起こる場合では、熱交換気運転を継続しつつどちらかの排気流路の結露や凍結を乾燥させるための運転であるデフロスト運転を行う。
【００６７】
この時、例えば通常時の熱交換気運転とデフロスト運転で換気風量を変化させない場合、通常時の熱交換気運転で第１熱交換器２３と第２熱交換器２４を流れる風量を合わせた風量がデフロスト運転中に熱交換気運転する熱交換器を流れるように、通常時の熱交換気運転とデフロスト運転中の熱交換気運転では同じ熱交換器でも風量が異なる場合があるので、デフロスト運転中の熱交換気運転を通常時の熱交換気運転と区別し、以下では凍結時の熱交換気運転と記載する。
【００６８】
第１熱交換器２３を乾燥させるデフロスト運転を行う場合は第２熱交換器２４で凍結時の熱交換気運転を行い、この状態を第１デフロスト運転とする。第２熱交換器２４を乾燥させるデフロスト運転を行う場合は第１熱交換器２３で凍結時の熱交換気運転を行い、この状態を第２デフロスト運転とする。
【００６９】
上記のように構成された熱交換形換気装置における通常時の熱交換気運転について図１を用いて以下に説明する。
【００７０】
室外の空気は給気流経路２９に従って、室外吸込口１から本体箱５へ吸い込まれ、第１風向調整板１４によって接続された第１給気流路２５及び第２給気流路２７を通過し、給気送風手段９によって、室内給気口４から室内へ給気される。
【００７１】
室内の空気は排気流経路３０に従って、室内吸込口２から本体箱５へ吸い込まれ、第１排気流路２６及び第２排気流路２８を通過した後に、第２風向調整板１５によって接続された、排気送風手段１０によって室外排出口３へ送られ室外へ吐出される。
【００７２】
この時、給気送風手段９によって第１給気流路２５及び第２給気流路２７を通風される室外の空気と排気送風手段１０によって第１排気流路２６及び第２排気流路２８を通風される室内の空気がそれぞれ熱交換を行う。ここでは給気排気原動機１２のみ運転すればよく、循環原動機１３は運転しなくて良い。
【００７３】
室外がきわめて低い温度となる寒冷地において図１で説明した熱交換気運転を継続すると、室内の温かい湿度を含む空気は、室外のきわめて低い温度の空気と熱交換を行うことによって冷却されて第１排気流路２６及び第２排気流路２８で徐々に結露し凍結していく。結露、凍結していくことで風路が狭まり熱交換器の通風抵抗が増し、また、熱交換器の伝熱板表面に水または氷の層が生じることで伝熱板の熱伝導率が低下することなどから、熱交換気機能が低下していき、本来の熱交換気運転を継続することができなくなる。
【００７４】
そこで、上記のように構成された熱交換形換気装置におけるデフロスト運転について、図２及び図３を用いて以下に説明する。
【００７５】
図２に示すように、第１デフロスト運転では、室内の空気は循環空気流経路３１に従って室内吸込口２から本体箱５へ吸い込まれ、第１排気流路２６を通過する時に第１排気流路２６の結露や凍結を融解、乾燥させた後、第２風向調整板１５によって循環送風手段１１へ接続され、循環送風手段１１によって循環空気排出口２２から室内へ吐出される。
同時に第２熱交換器２４において凍結時の熱交換気運転が行われ、第１風向調整板１４によって、室外吸込口１は第２熱交換器２４のみに接続され、給気送風手段９によって通風される室外の空気は、室外吸込口１から吸い込まれた後、第２給気流路２７を通過して、室内給気口４から室内へ給気される。
【００７６】
また、第２風向調整板１５は排気送風手段１０と第２熱交換器２４を接続し、排気送風手段１０によって通風される室内の空気は、室内吸込口２から吸い込まれた後第２排気流路２８を通過して、第２給気流路２７を通過する室外の空気と熱交換した後に、室外排出口３から吐出される。
【００７７】
第１デフロスト運転によって第１熱交換器２３へ室外の空気を通さず、室内の暖かい空気のみを通風させることで、第１排気流路２６の結露や凍結を融解、乾燥することを促進させることができ、第１排気流路２６における結露や凍結の影響を短時間で回復することができる。同時に、第２熱交換器２４では凍結時の熱交換気運転が行われるため、熱交換気運転を継続することができる。
【００７８】
図３に示すように、第２デフロスト運転では、室内の空気は循環空気流経路３１に従って室内吸込口２から本体箱５へ吸い込まれ、第２排気流路２８を通過する時に、第２排気流路２８の結露や凍結を融解、乾燥させた後、第２風向調整板１５によって循環送風手段１１へ接続され、循環送風手段１１によって循環空気排出口２２から室内へ吐出される。
【００７９】
同時に第１熱交換器２３で凍結時の熱交換気運転が行われ、第１風向調整板１４によって室外吸込口１は第１熱交換器２３のみに接続され、給気送風手段９によって通風される室外の空気は、室外吸込口１から吸い込まれた後、第１給気流路２５を通過して、室内給気口４から室内へ給気される。
【００８０】
また、第２風向調整板１５は排気送風手段１０と第１熱交換器２３を接続し、排気送風手段１０によって通風される室内の空気は、室内吸込口２から吸い込まれた後、第１排気流路２６を通過して、第１給気流路２５を通過する室外の空気と熱交換した後に、室外排出口３から吐出される。
【００８１】
第２デフロスト運転によって第２熱交換器２４へ室外の空気を通さず、室内の暖かい空気のみを通風させることで、第２排気流路２８の結露や凍結を融解、乾燥することを促進させることができ、第２排気流路２８における結露や凍結の影響を短時間で回復することができる。同時に、第１熱交換器２３では凍結時の熱交換気運転が行われるため熱交換気運転を継続することができる。
【００８２】
上記の第１デフロスト運転と第２デフロスト運転を交互に行うことにより、第１排気流路２６及び第２排気流路２８で発生した結露や凍結の影響を回復し、室外がきわめて低い温度となる寒冷地においても本来の熱交換気運転を継続することができる。
【００８３】
また、第１風向調整板１４及び第２風向調整板１５を組み合わせて用いることにより、第１熱交換器２３及び第２熱交換器２４の２台の熱交換器に対して、熱交換気運転に必要な給気送風手段９及び排気送風手段１０、デフロスト運転に必要な循環送風手段１１を１組揃えることで、寒冷地における本来の熱交換気運転の継続という機能を果たすことができる。そのため従来の熱交換気構造を複数備えた構成に比べ、送風手段を削減し、装置全体を小型化することができる。
【００８４】
さらに、熱交換気運転に必要な給気送風手段９及び排気送風手段１０を駆動する給気排気原動機１２と、デフロスト運転に必要な循環送風手段１１を駆動する循環原動機１３が別となる構成のため、通常時の熱交換気運転において、循環原動機１３を停止して消費電力を低減することができる。
【００８５】
また、上記のように熱交換器を２台用いる場合、対となる熱交換器の熱交換効率及び通風抵抗を揃えることで以下に記述する風路構成及び原動機の回転数制御において対となる熱交換器を同等のものとして扱えるため構成または制御が単純になり、より好適である。
【００８６】
なお、１台の熱交換器として成型された熱交換器を役割上２つの部分へ分け、それぞれの部分に対して別の給気流路、排気流路を設けることで、一方の部分を第１熱交換器２３、他方の部分を第２熱交換器２４として用いても同じ効果が得られる。
【００８７】
なお、本実施の形態では、第１熱交換器２３、第２熱交換器２４が各１台として説明したが、例えば第１熱交換器２３が複数台ある場合、複数台の給気流路と排気流路をそれぞれ同じ送風手段に接続すれば、同様の効果が得られる。
【００８８】
（実施の形態２）
以下では、給気流経路２９においては、室外吸込口１を上流、室内給気口４を下流とし、排気流経路３０においては、室内吸込口２を上流、室外排出口３を下流とする。
【００８９】
図１に示すように、給気送風手段９を、第１熱交換器２３及び第２熱交換器２４の下流側で、室内給気口４の上流側に設置することで、給気送風手段９が第１給気流路２５と第２給気流路２７の一方または両方から空気を吸い込み、室内給気口４から室内へ給気するように構成する。
【００９０】
また、排気送風手段１０を、第２風向調整板１５の下流側で、室外排出口３の上流側に設置することで、排気送風手段１０が第１排気流路２６と第２排気流路２８の一方または両方から空気を吸い込み、室外排出口３から室外へ吐出するように構成する。
【００９１】
このような構成で給気送風手段９及び排気送風手段１０を設置することによって、給気送風手段９で、第１給気流路２５と第２給気流路２７の一方または両方から空気を吸い込むことから、給気送風手段９と接続されている給気流路を負圧にすることができる。
【００９２】
また、排気送風手段１０で、第１排気流路２６と第２排気流路２８の一方または両方から空気を吸い込むことから、排気送風手段１０と接続されている排気流路を負圧にすることができる。
【００９３】
給気送風手段９及び排気送風手段１０で通風する熱交換器は共通しており、この構成により熱交換器が備える給気流路及び排気流路両方を負圧にすることができるので、熱交換器の風の流入分布が整い、給気流路及び排気流路の圧力差を小さくでき、給気流路と排気流路間での相互方向の空気の漏れを抑えることができる。
【００９４】
また、給気流経路２９を通過する風量と排気流経路３０を通過する風量については特定しなかったが、同じ給気排気原動機１２を使用しているため、例えば遠心送風機を使用した場合や軸流送風機を使用した場合は同じ羽根車を用いることで風量が等しくなるように調節でき、給気流路及び排気流路の圧力差をより小さくできることから、より好適な構成となる。
【００９５】
（実施の形態３）
図１に示すように、給気排気原動機１２が給気送風手段９によって形成される風路内である給気流経路２９に設置されている構成とする。
【００９６】
具体的には例えば、給気送風手段９及び排気送風手段１０として遠心送風機を用い、給気排気原動機１２として両側２軸のモーターを用いて、給気流経路２９と排気流経路３０を隔てる壁面の給気流経路２９側にモーターを設置する。モーターの回転軸の一方を延長して、給気流経路２９の中央付近に給気送風手段９を設置し、他方の回転軸を給気流経路２９と排気流経路３０を隔てる壁面を貫通させて排気流経路３０へ延長し、排気流経路３０の中央付近に排気送風手段１０を設置する構成が上げられる。
【００９７】
このような構成で給気排気原動機１２を設置することによって、熱交換器において熱交換が行われた後の給気流経路２９を給気排気原動機１２の排熱で暖めることができ、その結果、熱交換器を通過した空気の温度をさらに上昇させて、室内給気口４から室内へ給気することができる。
【００９８】
なお、モーターは、給気流経路２９と排気流経路３０を隔てる壁面の内部に埋設して、給気流経路２９へ一方の回転軸を伸ばして給気送風手段９を設置し、排気流経路３０へ他方の軸を伸ばして排気送風手段１０を設置してもよい。
【００９９】
この場合、モーターと排気流経路３０を隔てる壁を断熱し、モーターと給気流経路２９を隔てる壁に錆びにくく熱伝導率の高い素材、例えばアルミニウムや銅などを用いるかまたは、モーターと排気流経路３０を隔てる壁に比べ、モーターと給気流経路２９を隔てる壁を薄く構成するか、モーターと給気流経路２９を隔てる壁を一部除去し、モーター表面の一部を給気流経路２９へ露出させるという構成により、同様の効果が得られる。
【０１００】
（実施の形態４）
以下では、循環空気流経路３１においては、室内吸込口２を上流、循環空気排出口２２を下流とする。図２または図３に示すように、循環送風手段１１を、第２風向調整板１５の下流側で、循環空気排出口２２の上流側に設置することで、循環送風手段１１が第１排気流路２６または第２排気流路２８から空気を吸い込み、循環空気排出口２２から室内へ吐出するように構成する。
【０１０１】
このような構成で循環送風手段１１を設置することによって、循環送風手段１１が第１排気流路２６または第２排気流路２８から空気を吸い込むことから、循環送風手段１１と接続されている排気流路を負圧にすることができる。
【０１０２】
循環送風手段１１と接続されている熱交換器の給気流路は送風手段と接続されていないため圧力がかかっておらず、熱交換器の給気流路と排気流路間で空気の漏れが発生した場合に、漏れた空気は給気流路から排気流路へと流入する。
【０１０３】
漏れた空気により結露や凍結が発生した場合、結露や凍結は漏れた先である排気流路で発生するため、循環送風手段１１によって排気流路へ吸い込まれる温かい室内の空気によって融解、乾燥させることができる。そのため、熱交換器の給気流路と排気流路間で空気の漏れが発生した場合でも、デフロスト運転を継続して行うことができる。
【０１０４】
（実施の形態５）
図２に示すように、循環原動機１３が循環送風手段１１によって形成される風路内である循環空気流経路３１に設置されている構成としている。
【０１０５】
具体的には例えば、循環送風手段１１に遠心送風機を用い、循環原動機１３に片側１軸のモーターを用いて、循環空気流経路３１の壁面にモーターを設置し、そこから回転軸を延長して循環空気流経路３１の中央付近に循環送風手段１１を設置する構成があげられる。
【０１０６】
このような構成で循環原動機１３を設置することによって、熱交換器において熱交換が行われた後の循環空気流経路３１を循環原動機１３の排熱で暖めることができ、その結果、前記熱交換器を通過した室内の空気の温度をさらに上昇させて、循環空気排出口２２から室内へ吐出することができる。
【０１０７】
なお、循環送風手段１１に遠心送風機を用い、循環原動機１３に片側１軸のモーターを用いて、循環空気流経路３１の壁面の内部にモーターを埋設し、循環空気流経路３１へ軸を延長して循環送風手段１１を設置してもよい。
【０１０８】
この場合、モーターと循環空気流経路３１を隔てる壁に錆びにくく熱伝導率の高い素材、例えばアルミニウムや銅などを用いるかまたは、モーターと給気流経路２９を隔てる壁を薄く構成するか、壁を一部除去しモーター表面の一部を給気流経路２９へ露出させるという構成によって同様の効果が得られる。
【０１０９】
（実施の形態６）
図１に示すように、循環送風手段１１の羽根車は給気送風手段９及び排気送風手段１０の羽根車よりも体積を小さくした構成とする。
【０１１０】
具体的には例えば、給気送風手段９及び排気送風手段１０、循環送風手段１１に遠心送風機を用い、循環送風手段１１の羽根車の外径または羽根車の厚みの少なくとも一方を給気送風手段９及び排気送風手段１０の羽根車よりも小さくして循環送風手段１１のケーシングを縮小する構成があげられる。
【０１１１】
循環送風手段１１が駆動する循環空気流経路３１は給気送風手段９や排気送風手段１０が駆動する給気流経路２９や排気流経路３０に比べダクト配管が無いため通風抵抗が低いため、このような構成が可能であり、この構成をとることで循環送風手段１１の体積を小さくし、性能を損なわずに熱交換形換気装置を小型化でき、また循環送風手段１１の駆動に必要な動力も減少することから、消費電力を低減することができる。
【０１１２】
（実施の形態７）
図１〜図３に示すように、送風手段と接続する熱交換器を選択するための選択手段として第１風向調整板１４を室外吸込口１の下流側で第１熱交換器２３と第２熱交換器２４の上流側に備える。第１風向調整板１４が室外吸込口１と、第１熱交換器２３または第２熱交換器２４のどちらか一方または両方とを接続することで給気流経路２９を形成し、第１熱交換器２３と第２熱交換器２４のどちらか一方または両方に給気送風手段９が通風できるように構成する。
【０１１３】
具体的には例えば、図１〜図３に示すように第１風向調整板１４として板状のダンパーとダンパーを回転させるモーターの組み合わせを用いる。室外吸込口１と第１風向調整板１４の間の給気流経路２９は１本の経路とし、第１風向調整板１４の下流側の給気流経路２９は、第１熱交換器２３につながる給気流経路２９と、第２熱交換器２４につながる給気流経路２９の互いに独立した２本の経路として構成する。
【０１１４】
第１熱交換器２３につながる給気流経路２９と第２熱交換器２４につながる給気流経路２９が分岐する場所において、１枚の板状ダンパーが回転することで、第１熱交換器２３につながる給気流経路２９を接続し、第２熱交換器２４につながる給気流経路２９を遮蔽する位置ａと、第１熱交換器２３につながる給気流経路２９を遮蔽し、第２熱交換器２４につながる給気流経路２９を接続する位置ｂと、第１熱交換器２３につながる給気流経路２９を接続し、第２熱交換器２４につながる給気流経路２９を接続する位置ｃ全てをとることができる構成とする。
【０１１５】
この構成により、図３で示すように、第１風向調整板１４が位置ａをとった場合、第２デフロスト運転が行われる。第１風向調整板１４によって室外吸込口１は第１熱交換器２３に接続され、室外の空気は、室外吸込口１から吸い込まれた後、第１給気流路２５を通過して、給気送風手段９によって室内給気口４から室内へ給気される。同時に、第１風向調整板１４によって室外吸込口１は第２熱交換器２４と遮断される。
【０１１６】
また、第２風向調整板１５によって排気送風手段１０に第１熱交換器２３が接続され、室内の空気は、室内吸込口２から吸い込まれた後、第１排気流路２６を通過して、第１給気流路２５を通過する室外の空気と熱交換した後に、排気送風手段１０によって室外排出口３から吐出される。
【０１１７】
循環送風手段１１によって通風される室内の空気は、室内吸込口２から本体箱５へ吸い込まれ、第２排気流路２８を通過する時に、第２排気流路２８の結露や凍結を融解、乾燥させ、第２風向調整板１５によって循環送風手段１１へと導かれ、循環送風手段１１によって循環空気排出口２２から室内へ吐出される。
【０１１８】
また、図２で示すように第１風向調整板１４が位置ｂをとった場合、第１デフロスト運転が行われる。第１風向調整板１４によって、室外吸込口１は第２熱交換器２４に接続され、室外の空気は、室外吸込口１から吸い込まれた後、第２給気流路２７を通過して、給気送風手段９によって室内給気口４から室内へ給気される。同時に、第１風向調整板１４によって室外吸込口１は第１熱交換器２３と遮断される。
【０１１９】
また、第２風向調整板１５によって排気送風手段１０に第２熱交換器２４が接続され、室内の空気は、室内吸込口２から吸い込まれた後第２排気流路２８を通過して、第２給気流路２７を通過する室外の空気と熱交換した後に、排気送風手段１０によって室外排出口３から吐出される。
【０１２０】
循環送風手段１１によって通風される室内の空気は循環空気流経路３１に従って、室内吸込口２から本体箱５へ吸い込まれ、第１排気流路２６を通過する時に第１排気流路２６の結露や凍結を融解、乾燥させ、第２風向調整板１５によって循環送風手段１１へと導かれ、循環送風手段１１によって循環空気排出口２２から室内へ吐出される。
【０１２１】
また、図１に示すように第１風向調整板１４が位置ｃをとった場合、通常時の熱交換気運転が行われ、室外の空気は給気流経路２９に従って、室外吸込口１から本体箱５へ吸い込まれ、第１風向調整板１４によって第１給気流路２５及び第２給気流路２７へと導かれ、給気送風手段９によって室内給気口４から室内へ給気される。
【０１２２】
室内の空気は排気流経路３０に従って、室内吸込口２から本体箱５へ吸い込まれ、第１排気流路２６及び第２排気流路２８を通過した後に、第２風向調整板１５によって排気送風手段１０へと導かれ、排気送風手段１０によって室外排出口３から室外へ吐出される。
【０１２３】
この時、給気送風手段９によって第１給気流路２５及び第２給気流路２７を通風される室外の空気と排気送風手段１０によって第１排気流路２６及び第２排気流路２８を通風される室内の空気が熱交換を行う。
【０１２４】
このような構成で第１風向調整板１４を備えることにより、例えば１枚の板状ダンパーとダンパーを回転させる１個のモーターを組み合わせる簡単な構成によって給気流経路２９を切り換えることができ、それによって通常時の熱交換気運転とデフロスト運転を容易に切り換えることができる。
【０１２５】
（実施の形態８）
図１に示す実施の形態１にたいし、循環原動機１３は、給気送風手段９が全ての熱交換器と接続する場合に停止する構成とする。
【０１２６】
具体的には例えば、第１風向調整板１４が実施の形態７における位置ｃをとった場合に、循環原動機１３を停止する。
【０１２７】
給気送風手段９が全ての熱交換器と接続する場合には通常時の熱交換気運転が行われており、循環送風手段１１は稼動する必要性を失う。循環送風手段１１を駆動する循環原動機１３は、給気送風手段９及び排気送風手段１０を駆動する給気排気原動機１２と独立しているため、循環原動機１３だけを停止でき、装置全体の消費電力を低減することができる。
【０１２８】
（実施の形態９）
図１に示す実施の形態１にたいし、第１風向調整板１４が給気送風手段９を第１熱交換器２３または第２熱交換器２４と接続する時に、給気排気原動機１２の回転数を所定の時間、例えばダンパー切り換えに必要な１０秒間、所定の回転数、例えば通常時の熱交換気運転時の回転数の２／３に低下させる構成とする。
【０１２９】
より具体的には例えば、実施の形態７に対して、第１風向調整板１４が、位置ａから位置ｂまたは位置ｃに切り換わった場合、あるいは位置ｂから位置ａまたは位置ｃに切り換わった場合、あるいは位置ｃから位置ａまたは位置ｂに切り換わった場合に、給気排気原動機１２の回転数を所定の時間、所定の回転数へ低下させ、給気送風手段９及び排気送風手段１０によって駆動される空気の風量を減少させる構成とする。
【０１３０】
寒冷地における冬季の標準的な室外の温度環境で給気排気原動機１２の回転数を低下させずに運転している状態において、第１風向調整板１４が切り換わったことによる室内への給気温度の低下が大きく見られる時間を予め測定し、この給気温度が大きく低下している時間を最小限にできるような給気排気原動機１２の回転数を低下させる時間及び低下した場合の回転数を予め実験、計算などにより設定しておくことができる。
【０１３１】
この構成によって、給気排気原動機１２の回転数を低下させることで給気流経路２９の風量を減少させ、単位時間あたりに単位体積の空気に接している熱交換器の伝熱板面積が増加させることで、第１熱交換器２３及び第２熱交換器２４における熱交換器単体の熱交換効率を上昇させることができる。
【０１３２】
また、第１風向調整板１４の切換の間に空気が第１熱交換器２３及び第２熱交換器２４へ不均一に流入することによって熱交換器の伝熱面積を有効に使えず、給気温度が低下してしまうことによる影響も軽減できる。以上の効果により第１風向調整板１４の切り換えによって生じる、給気される空気の温度低下を抑制できる。
【０１３３】
（実施の形態１０）
図１〜図３に示すように、送風手段と接続する熱交換器を選択するための選択手段として、第２風向調整板１５を第１熱交換器２３及び第２熱交換器２４の下流側で排気送風手段１０及び循環送風手段１１の上流側に備える。
【０１３４】
第２風向調整板１５が排気送風手段１０と、第１熱交換器２３または第２熱交換器２４のどちらか一方または両方とを接続することで排気流経路３０を形成し、第１熱交換器２３と第２熱交換器２４のどちらか一方または両方に排気送風手段１０が通風できる構成とする。
【０１３５】
同時に第２風向調整板１５が循環送風手段１１を排気送風手段１０が接続していない熱交換器に接続し、排気送風手段１０が第１熱交換器２３及び第２熱交換器２４と接続している場合に第２風向調整板１５が循環送風手段１１と第１熱交換器２３及び第２熱交換器２４との接続を遮断することができる構成とする。
【０１３６】
具体的には例えば、図４（ａ）に熱交換形換気装置の第２風向調整板１５近傍の水平方向概略断面図を示す。第１熱交換器２３と第２風向調整板１５の間の排気流経路３０または循環空気流経路３１と、第２熱交換器２４と第２風向調整板１５の間の排気流経路３０または循環空気流経路３１とが水平方向に隣接する構成とする。
【０１３７】
また、図４（ｂ）に熱交換形換気装置の第２風向調整板１５近傍の鉛直方向概略断面図を示す。第２風向調整板１５と排気送風手段１０の間の排気流経路３０と、第２風向調整板１５と循環送風手段１１の間の循環空気流経路３１とが鉛直方向に隣接する構成とする。
【０１３８】
図４（ｃ）に熱交換形換気装置の第２風向調整板１５近傍を熱交換器側より描写した概略分解斜視図を示す。第１熱交換器２３‐排気送風手段１０を接続する開口３４、第１熱交換器２３‐循環送風手段１１を接続する開口３５、第２熱交換器２４‐排気送風手段１０を接続する開口３６、第２熱交換器２４‐循環送風手段１１を接続する開口３７の４箇所に開口が空いた田の字型の仕切りと２枚の板状のダンパー、ダンパーを駆動する２台のモーターを組み合わせたものを第２風向調整板１５として構成する。
【０１３９】
第２風向調整板１５の開口のうち、熱交換器側にある水平方向に見て中央にある仕切りに対して、一方に開口３４、開口３５を鉛直方向上下に並置し、他方に開口３６、開口３７を鉛直方向上下に並置する。
【０１４０】
さらに、送風手段側にある鉛直方向に見て中央にある仕切りに対して、鉛直方向上部に、開口３４、開口３６を並置し、鉛直方向下部に開口３５、開口３７を並置する。
【０１４１】
送風手段側にある鉛直方向に見て中央にある仕切りを２台のモーターの回転軸とし、回転軸に対して、上下１つの開口のどちらか一方を塞ぐことができる板状のダンパーを２枚水平方向へ並置し、ダンパーが回転することにより、一方のダンパーが開口３４と開口３５の開放と遮蔽を行い、他方のダンパーが開口３６と開口３７の開放と遮蔽を行う構成とする。
【０１４２】
この図４に示すような構成により、板状のダンパーは排気流経路３０において第２風向調整板１５の上流側を通過して回転でき、ダンパーが遮蔽されている場合、ダンパー板は排気送風手段１０もしくは循環送風手段１１によって負圧を受け、第２風向調整板１５の開口へ押し付けられるので、ダンパー板と第２風向調整板１５の開口の隙間より空気が漏れることを抑制できる。
【０１４３】
第２風向調整板１５は、第１熱交換器２３を排気送風手段１０に接続し、第２熱交換器２４を循環送風手段１１と接続する位置ｄと、第１熱交換器２３を循環送風手段１１と接続し、第２熱交換器２４を排気送風手段１０と接続する位置ｅと、第１熱交換器２３と第２熱交換器２４両方を排気送風手段１０と接続する位置ｆの全てが取れる構成としている。
【０１４４】
この構成により、図３で示すように第２風向調整板１５が位置ｄをとった場合、第２デフロスト運転が行われ、第１風向調整板１４によって室外吸込口１は第１熱交換器２３に接続され、室外の空気は、室外吸込口１から吸い込まれた後、第１給気流路２５を通過して、給気送風手段９によって室内給気口４から室内へ給気される。同時に、第１風向調整板１４によって室外吸込口１は第２熱交換器２４と遮断される。
【０１４５】
また、第２風向調整板１５は排気送風手段１０と第１熱交換器２３を接続し、室内の空気は、室内吸込口２から吸い込まれた後、第１排気流路２６を通過して、第１給気流路２５を通過する室外の空気と熱交換した後に、排気送風手段１０によって室外排出口３から吐出される。
【０１４６】
循環送風手段１１によって通風される室内の空気は、室内吸込口２から本体箱５へ吸い込まれ、第２排気流路２８を通過する時に、第２排気流路２８の結露や凍結を融解、乾燥させ、第２風向調整板１５によって循環送風手段１１へと導かれ、循環空気排出口２２から室内へ吐出される。
【０１４７】
また、図２で示すように第２風向調整板１５が位置ｅをとった場合、第１デフロスト運転が行われ、第１風向調整板１４によって、室外吸込口１は第２熱交換器２４に接続され、室外の空気は、室外吸込口１から吸い込まれた後、第２給気流路２７を通過して、給気送風手段９によって室内給気口４から室内へ給気される。同時に、第１風向調整板１４によって室外吸込口１は第１熱交換器２３と遮断される。
【０１４８】
また、第２風向調整板１５は排気送風手段１０と第２熱交換器２４を接続し、室内の空気は、室内吸込口２から吸い込まれた後第２排気流路２８を通過して、第２給気流路２７を通過する室外の空気と熱交換した後に、排気送風手段１０によって室外排出口３から吐出される。
【０１４９】
循環送風手段１１によって通風される室内の空気は循環空気流経路３１に従って、室内吸込口２から本体箱５へ吸い込まれ、第１排気流路２６を通過する時に第１排気流路２６の結露や凍結を融解、乾燥させ、第２風向調整板１５によって循環送風手段１１へと導かれ、循環空気排出口２２から室内へ吐出される。
【０１５０】
また、図１に示すように第２風向調整板１５が位置ｆをとった場合、通常時の熱交換気運転が行われ、室外の空気は給気流経路２９に従って、室外吸込口１から本体箱５へ吸い込まれ、第１風向調整板１４によって第１給気流路２５及び第２給気流路２７へと導かれ、給気送風手段９によって、室内給気口４から室内へ給気される。
【０１５１】
室内の空気は排気流経路３０に従って、室内吸込口２から本体箱５へ吸い込まれ、第１排気流路２６及び第２排気流路２８を通過した後に、第２風向調整板１５によって、排気送風手段１０へと導かれ、排気送風手段１０によって室外排出口３へ送られ室外へ吐出される。
【０１５２】
この時、給気送風手段９によって第１給気流路２５及び第２給気流路２７を通風される室外の空気と排気送風手段１０によって第１排気流路２６及び第２排気流路２８を通風される室内の空気が熱交換を行う。
【０１５３】
このような構成で第２風向調整板１５を備えることにより、２枚のダンパーと２台のモーターを組み合わせた簡単な構成によって、第１熱交換器２３及び第２熱交換器２４と排気送風手段１０及び循環送風手段１１の接続を切り換えることができ、それによって通常時の熱交換気運転とデフロスト運転を容易に切り換えることができる。
【０１５４】
その上、第２風向調整板１５が、循環送風手段１１と全ての熱交換器の接続を遮断することによって、第１熱交換器２３及び第２熱交換器２４で熱交換気運転を行っている場合に、排気送風手段１０によって形成される風路へ、循環送風手段１１によって形成される風路から室内の空気が漏れることを抑制できる。
【０１５５】
なお、田の字型の仕切りに対して、水平方向に見て中央にある仕切りをモーターの回転軸とし、回転軸に対して、左右１つの開口のどちらか一方を塞ぐことができる板状のダンパー１枚を鉛直上側に、左右どちらか１つの開口または両方の開口を塞ぐことができる板状のダンパー１枚を鉛直下側に並べる構成も可能である。
【０１５６】
なお、ダンパー等を用いて第２風向調整板１５の４つの開口を個別に塞ぐ構成も可能である。
【０１５７】
（実施の形態１１）
図１に示す実施の形態１にたいし、循環原動機１３は、循環送風手段１１が第１熱交換器２３または第２熱交換器２４と接続する場合に駆動し、排気送風手段１０が第１熱交換器２３及び第２熱交換器２４と接続する場合に停止する構成とする。
【０１５８】
具体的には例えば、第２風向調整板１５が実施の形態１０における位置ｄまたは位置ｅをとった場合に循環原動機１３が駆動し、位置ｆをとった場合に、循環原動機１３を停止する。
【０１５９】
循環送風手段１１が第１熱交換器２３または第２熱交換器２４と接続する場合には、第１デフロスト運転または第２デフロスト運転が行われており、循環送風手段１１によって循環空気流経路３１に通風する必要性があるが、排気送風手段１０が全ての熱交換器と接続する場合には通常時の熱交換気運転が行われており、循環送風手段１１は稼動する必要性を失う。
【０１６０】
循環送風手段１１を駆動する循環原動機１３は、給気送風手段９及び排気送風手段１０を駆動する給気排気原動機１２と独立しており、循環送風手段１１の必要性に応じて循環原動機１３を稼動もしくは停止することで、装置全体の消費電力を低減することができる。
【０１６１】
（実施の形態１２）
図１に示す実施の形態１にたいし、第２風向調整板１５が循環送風手段１１を第１熱交換器２３または第２熱交換器２４と接続した直後に、循環原動機１３の回転数を所定の時間、例えばダンパー切り換えに必要な１０秒間、所定の回転数、例えば通常時の熱交換気運転時の回転数の１１／１０に上昇させる構成とする。
【０１６２】
より具体的には例えば、実施の形態１０に対して、第２風向調整板１５が、位置ｄから位置ｅに切り換わった場合、あるいは位置ｅから位置ｄに切り換わった場合、あるいは位置ｆから位置ｄまたは位置ｅに切り換わった場合に、循環原動機１３の回転数を所定の時間、所定の回転数へ上昇させ、循環送風手段１１によって駆動される空気の風量を増加させる構成とする。
【０１６３】
寒冷地における冬季の標準的な室外の温度環境で循環原動機１３の回転数を上昇させずに運転している状態において、第２風向調整板１５が切り換わったことによる室内へ循環させる空気の温度低下が大きく見られる時間を予め測定し、この循環させる空気の温度が大きく低下している時間を最小限にできるような循環原動機１３の回転数を上昇させる時間及び回転数を予め実験、計算などにより設定できる。
【０１６４】
循環原動機１３の回転数を上昇させることで、循環空気流経路３１の風量を増加させ、単位時間当たりに熱交換器表面から空気へ伝わる熱に対する、単位時間当たりの熱交換器表面を通過する空気の量を増加させることで、空気全体の温度低下を軽減させることができる。
【０１６５】
そのためこの構成によって、第２風向調整板１５の切り換え直後に、熱交換気運転中の冷たい室外の空気によって冷え切った第１熱交換器２３または第２熱交換器２４へ室内に循環させる空気が流れ込んだ時の、室内へ循環させる空気の温度低下を軽減することができる。
【０１６６】
なお、第２風向調整板１５が切り換わる直前及び、切り換わっている最中に循環原動機１３の回転数を増加させることでも同様の効果を得ることができる。ただしこの場合、具体的に例えばダンパー板を駆動するモーターのトルクがより多く必要になるなど、切り換えに必要な動力がより多く必要になる。
【０１６７】
また、第１風向調整板１４及び第２風向調整板１５が同時に切り換わる際に、２台の熱交換器へ同時に風が流れるで熱交換器を通過する風量が一時的に減少する。このとき、給気流路を流れる風量の減少度合いに比べ排気流路を流れる風量の減少度合いがより小さくなるため、風量バランスが崩れて冷えた給気流路から排気流路へ空気が漏れることが考えられ、結露が排気流路で発生しやすくなるという問題がある。
【０１６８】
そこでこの場合、循環原動機１３に合わせて、給気排気原動機１２の回転数も増加させ、風量バランスをとる構成をとることで、前記実施の形態１２と同等の効果を得ることができる。
【０１６９】
（実施の形態１３）
図５に示すように、第１熱交換器２３及び第２熱交換器２４の排気流路の流出口から室外排出口３の間に、第１熱交換器２３及び第２熱交換器２４の結露や凍結の状態を検知できる第１結露検知手段３２及び第２結露検知手段３３を備える。
【０１７０】
第１結露検知手段３２または第２結露検知手段３３の検出値により、結露または凍結が検知された場合は給気排気原動機１２の回転数を、例えば通常時の熱交換気運転時の９０％相当の回転数に低下させ、循環原動機１３の回転数を、例えば通常時の熱交換気運転時の１１０％相当の回転数に上昇させる。
【０１７１】
第１結露検知手段３２及び第２結露検知手段３３として、温度検知手段、湿度検知手段、圧力検知手段、電極間の抵抗値を利用した水滴検知手段を単独で、あるいは複数組み合わせて用いる。以下、本明細書において、第１結露検知手段３２及び第２結露検知手段３３として用いる検知手段に関しては、検知手段名のあとに（結露）と付記する。
【０１７２】
より具体的には例えば、第１結露検知手段３２及び第２結露検知手段３３として、温度検知手段を用い、第１熱交換器２３と第２風向調整板１５の間の排気流経路３０に第１温度検知手段（結露）を設置し、第２熱交換器２４と第２風向調整板１５の間の排気流経路３０に第２温度検知手段（結露）を設置する。
【０１７３】
室外がきわめて低い温度、例えば−０℃から−２５℃となる寒冷地では、通常時の熱交換気運転を継続すると、温かく湿度を多く含む室内の空気が、きわめて低い温度の室外の空気と熱交換することで、第１排気流路２６と第２排気流路２８のどちらか一方あるいは両方で徐々に結露し凍結していく。
【０１７４】
第１排気流路２６と第２排気流路２８のどちらか一方あるいは両方で結露し凍結していくことによって、通常時の熱交換気運転に結露や凍結による影響、例えば風量の低下が現れた時点で、第１デフロスト運転及び第２デフロスト運転が交互に切り換わって運転され、第１排気流路２６及び第２排気流路２８に結露や凍結による影響がなくなるまで切り換えが継続される。
【０１７５】
ここで、第１排気流路２６または第２排気流路２８に結露や凍結が発生した場合に、デフロスト運転によって結露または凍結の乾燥が完了した時における循環空気流経路３１の空気の設定温度、例えば１５℃から２５℃、を予め実験、計算などにより求めておく。
【０１７６】
デフロスト運転が継続されているにもかかわらず、第１温度検知手段（結露）または第２温度検知手段（結露）によって、第１排気流路２６と第２排気流路２８の少なくともどちらか一方において結露や凍結の影響の乾燥が完了した時における循環空気流経路３１の空気の設定温度より低い温度、例えば設定温度よりも５℃程度低い温度が所定の時間検知され続けると、給気排気原動機１２の回転数を低下させ、循環原動機１３の回転数を上昇させる構成とする。所定の時間に関しては、通常時の熱交換気運転とデフロスト運転を切り換える検知手段と合わせて後述する。
【０１７７】
または、第１結露検知手段３２及び第２結露検知手段３３として、温度検知手段及び湿度検知手段を用い、第１熱交換器２３と第２風向調整板１５の間の排気流経路３０に第１温湿度検知手段（結露）を設置し、第２熱交換器２４と第２風向調整板１５の間の排気流経路３０に第２温湿度検知手段（結露）を設置する。
【０１７８】
第１排気流路２６または第２排気流路２８に結露や凍結が発生しデフロスト運転が完了した時における循環空気流経路３１の空気の温湿度、例えば１５℃３０％から２０℃４５％を予め実験、計算などにより設定する。
【０１７９】
デフロスト運転が継続されているにもかかわらず、第１温湿度検知手段（結露）または第２温湿度検知手段（結露）によって、第１排気流路２６と第２排気流路２８のどちらか少なくとも一方において結露や凍結の乾燥が完了した時における循環空気流経路３１の空気の設定温湿度より絶対湿度が高くなるような温湿度、例えば設定温湿度条件における絶対湿度の１１０％程度の絶対湿度となるような温湿度範囲を１５℃３０％なら１℃９４％から１０℃５０％の間というように予め設定し、その温湿度が所定の時間検知され続けると、給気排気原動機１２の回転数を低下させ、循環原動機１３の回転数を上昇させる構成とする。
【０１８０】
所定の時間に関しては、通常時の熱交換気運転とデフロスト運転を切り換える手段と合わせて後述する。
【０１８１】
または、結露検知手段１６として、圧力検知手段を用い、第１熱交換器２３と第２風向調整板１５の間の排気流経路３０に第１圧力検知手段（結露）を設置し、第２熱交換器２４と第２風向調整板１５の間の排気流経路３０に第２圧力検知手段（結露）を設置する。
【０１８２】
第１排気流路２６または第２排気流路２８に結露や凍結が発生した場合は熱交換器内の送風抵抗が増大するため、結露や凍結が発生した場合の循環空気流経路３１の静圧または全圧、例えば静圧で７０Ｐａを予め実験、計算などにより設定する。
【０１８３】
デフロスト運転中に、第１圧力検知手段（結露）または第２圧力検知手段（結露）によって、第１排気流路２６と第２排気流路２８のどちらか少なくとも一方において結露や凍結の影響が見られるような循環空気流経路３１の静圧または全圧が所定の時間検知され続けると、給気排気原動機１２の回転数を低下させ、循環原動機１３の回転数を上昇させる構成とする。
【０１８４】
所定の時間に関しては、通常時の熱交換気運転とデフロスト運転を切り換える手段と合わせて後述する。
【０１８５】
または、結露検知手段１６として、電極間の抵抗値を利用した水滴検知手段を用い、第１排気流路２６の流出口近傍に第１水滴検知手段（結露）を設置し、第２排気流路２８の流出口近傍に第２水滴検知手段（結露）を設置する。
【０１８６】
電極へ水滴が触れることで電極間の抵抗値が低下、例えばＤＣ１００Ｖにおいて１０ＭΩの抵抗を持つ電極間が、水分による導通によって５ｋΩまで抵抗が低下するため、第１排気流路２６または第２排気流路２８に結露や凍結が発生したことを検知できる。
【０１８７】
デフロスト運転中に、第１水滴検知手段（結露）または第２水滴検知手段（結露）によって、第１排気流路２６と第２排気流路２８のどちらか少なくとも一方において結露や凍結が所定の時間、例えば５分間、検知され続けると、給気排気原動機１２の回転数を低下させ、循環原動機１３の回転数を上昇させる構成とする。
【０１８８】
所定の時間に関しては、通常時の熱交換気運転とデフロスト運転を切り換える手段と合わせて後述する。
【０１８９】
通常時の熱交換気運転とデフロスト運転を切り換えるための、通常時の熱交換気運転への結露の影響を検知する手段として、第１結露検知手段３２及び第２結露検知手段３３のどちらか一方、または両方を使用する。
【０１９０】
ここで、第１結露検知手段３２及び第２結露検知手段３３のどちらか一方を使用することで、デフロスト運転開始までに使用していない結露検知手段を停止することができ、消費電力を低減することができる。
【０１９１】
また、第１結露検知手段３２及び第２結露検知手段３３両方を使用することで、第１熱交換器及び第２熱交換器に不均一に風が流れ込むなどの場合によって、結露が熱交換器間で不均一に発生したとしても正確に結露を検知することができる。
【０１９２】
この場合、第１結露検知手段３２または第２結露検知手段３３が循環空気流経路３１の環境から結露を検知した方法と同様に、排気流経路３０の環境から結露を検知できるように設定する。
【０１９３】
結露または凍結を検知した時点で通常時の熱交換気運転からデフロスト運転へ切り換わり、予め実験または計算により排気流路内の結露または凍結を全て乾燥させることのできる時間として求められた所定の時間、例えば１０分間ごとに第１デフロスト運転と第２デフロスト運転が切り換わる。
【０１９４】
そして第１デフロスト運転中または第２デフロスト運転中を通じてそれぞれ第１結露検知手段３２または第２結露検知手段３３において結露または凍結が検知され続けた場合に、給気排気原動機１２の回転数は低下し、循環原動機１３の回転数が上昇する構成とする。
【０１９５】
デフロスト運転によって、第１排気流路２６または第２排気流路２８の結露や凍結の乾燥を完了させることができなかった場合に、給気排気原動機１２の回転数を下げ、給気送風手段９及び排気送風手段１０の駆動する風量を減少させる。
【０１９６】
これにより単位時間当たりに排気流路を通過する水分量も減少し、凍結時の熱交換気運転中に新たに排気流路内に発生する結露または凍結の量を減少させることができる。
【０１９７】
また、循環原動機１３の回転数を上げ、循環送風手段１１の駆動する風量を増加させることで、単位時間当たりに空気中へ蒸発することのできる水分量も増加し、デフロスト運転中に乾燥させることのできる結露または凍結の量を増加させることができ、合わせて排気流路をより早く完全に乾燥させることができる。
【０１９８】
または、通常時の熱交換気運転とデフロスト運転を切り換えるための、通常時の熱交換気運転への結露の影響を検知する手段として、第１結露検知手段３２または第２結露検知手段３３が循環空気流経路３１の環境から結露を検知した方法と同様に、排気流経路３０の環境から結露を検知できるように設定する。
【０１９９】
第１結露検知手段３２または第２結露検知手段３３が結露または凍結を検知した時点で、通常時の熱交換気運転から、第１結露検知手段３２で検知された場合は第１デフロスト運転へ切り換わり、第２結露検知手段３３で検知された場合は第２デフロスト運転へ切り換わる。
【０２００】
最初に結露を検知した第１結露検知手段３２または第２結露検知手段３３において結露が検知されなくなった時点で第１デフロスト運転または第２デフロスト運転は終了する。
【０２０１】
その後、第１デフロスト運転が行われていた場合は第２結露検知手段３３の、第２デフロスト運転が行われていた場合は第１結露検知手段３２の検知値が結露を検知していた場合にそれぞれ第２デフロスト運転もしくは第１デフロスト運転が開始され、第１結露検知手段３２及び第２結露検知手段３３が結露を検知しなくなった時点で通常時の熱交換気運転が実行される構成とする。
【０２０２】
予め、結露が検知されてから凍結時の熱交換気運転を継続した場合に、蓄積した結露によって運転に著しい障害、例えば排気流路が結露によってふさがり十分な換気風量が得られなくなった場合などが発生するまでの時間、例えば１時間を実験または計算により算出し、その時間を元に、例えばその時間の１／１２の時間だけデフロスト運転を行うというようにデフロスト運転継続時間を設定する。
【０２０３】
そしてデフロスト運転が開始され、デフロスト運転継続時間が経過しても結露が検知されていた場合に、給気排気原動機１２の回転数は低下し、循環原動機１３の回転数が上昇する構成とする。
【０２０４】
なお、通常時の熱交換気運転とデフロスト運転を切り換えるための検知手段として、図５に示すように外気温度検知手段３８を室外吸込口１の近傍へ備えてもよい。
【０２０５】
外気温度が予め所定の温度を下回った場合、具体的に例えば−１０℃を下回った場合に、熱交換器内で結露もしくは凍結が発生していると判断してデフロスト運転を開始し、外気温度が前記所定の温度を上回った時点でデフロスト運転を終了するという構成で通常時の熱交換気運転とデフロスト運転を切り換えることができる。
【０２０６】
この場合、予め、結露が検知されてから凍結時の熱交換気運転を継続した場合に、蓄積した結露によって運転に著しい障害、例えば排気流路が結露によってふさがり十分な換気風量が得られなくなった場合などが発生するまでの時間、例えば１時間を実験または計算により算出し、その時間を元に、例えばその時間の１／１２の時間だけデフロスト運転を行うというようにデフロスト運転継続時間を設定する。
【０２０７】
デフロスト運転が開始され、デフロスト運転継続時間が経過しても結露が検知されていた場合に、給気排気原動機１２の回転数は低下し、循環原動機１３の回転数が上昇する構成とする。
【０２０８】
なお、第１結露検知手段３２及び第２結露検知手段３３として、温度検知手段、湿度検知手段、圧力検知手段を用いた場合、同種の結露検知手段を熱交換器の上流側に設け、第１熱交換器２３及び第２熱交換器２４の上流側、下流側の結露検知手段を組として、それぞれ第１結露検知手段３２及び第２結露検知手段３３としてもよい。
【０２０９】
この場合、結露検知手段の検出値が絶対値だけでなく、熱交換器の上流側、下流側の結露検知手段の検出値の差によって制御することができる。
【０２１０】
（実施の形態１４）
図６に示すように、室内給気口４の近傍に空気の温度を検知する温度検知手段１７を備え、室内給気口４から供給される空気の温度が所定の温度を下回った場合、給気排気原動機１２の回転数を所定の値まで、例えば通常時の熱交換気運転時の９０％相当の回転数に低下させ、循環原動機１３の回転数を所定の値まで、例えば通常時の熱交換気運転時の１１０％相当の回転数に上昇させる構成とする。
【０２１１】
より具体的には例えば、予め室内給気口４から供給される空気の温度が低すぎて不快に感じる温度、例えば氷結の生じる０℃などを所定の温度として設定する。
【０２１２】
温度検知手段１７において、室内給気口４から供給される空気の温度が前記所定の温度以下になったと検知された場合は、それぞれある一定の割合ずつ、例えば双方１％ずつ給気排気原動機１２の回転数を低下させるとともに循環原動機１３の回転数を上昇させ、室内給気口４から供給される空気の温度が所定の温度以上になるまで、所定の時間、例えば１分間ごとに温度検知手段１７が検知し、回転数を制御することを繰り返す構成とする。
【０２１３】
この構成により、給気排気原動機１２の回転数が低下することで、給気送風手段９及び排気送風手段１０の駆動する風量が減少する。そのため、単位時間あたりに単位体積の空気に接している熱交換器の伝熱板面積が増加することから、熱交換器単体の熱交換効率が上昇することで給気される空気の温度を上昇させることができる。
【０２１４】
さらに循環原動機１３の回転数が上昇し、循環送風手段１１の駆動する風量が増加し排気流路の結露や凍結を乾燥させる速度が上昇することでデフロスト運転中の循環空気流経路３１を流れる空気の温度が早く上昇することから、熱交換器を含め、循環空気流経路３１と共通している排気流経路３０の一部をより暖めることができる。これらの効果によって、室内へ給気される温度を不快にならない程度へ抑えることができる。
【０２１５】
また、予め実験または計算によって、寒冷地の冬季の標準的な室外の温度環境、例えば−２５℃における、給気排気原動機１２及び循環原動機１３の回転数と室内給気口４から供給される空気の温度の関係性を求め、また、室内給気口４から供給される空気の温度が低すぎて不快に感じる温度、例えば氷結の生じる０℃を所定の温度として設定しておく。
【０２１６】
温度検知手段１７において、室内給気口４から供給される空気の温度が所定の温度以下になったと検知された場合は、回転数と空気の温度の関係性から設定されたそれぞれ給気排気原動機１２または循環原動機１３の所定の回転数まで、給気排気原動機１２の回転数を低下、例えば通常時の回転数の９０％程度に低下させ、循環原動機１３の回転数を上昇、例えば通常時の１１０％程度に増加させる構成でも同様の効果が得られる。
【０２１７】
（実施の形態１５）
図７に示すように給気流路６へ室外の空気が流入しないようにする風路遮蔽手段として例えばダンパー１８を備える。
【０２１８】
具体的には例えば、室外吸込口１にダンパー１８を設置し、給気流経路２９に空気が流れている場合に、空気の風圧によってダンパー１８が開放され、給気流経路２９に空気が流れていない場合はバネもしくは重力の作用によってダンパー１８が給気流経路２９を遮断する構成とする。
【０２１９】
この構成により、熱交換形換気装置が停止している場合に、室外の空気が室外吸込口１から入り込み、第１風向調整板１４や熱交換器を冷却することによって、凍結した水滴による第１風向調整板１４の作動不全や熱交換器の給気流路及び排気流路の目詰まりが発生することや、冷却による第１風向調整板１４の動力発生部の作動不全がおきることを抑制する。
【０２２０】
なお、第１風向調整板１４において、室外吸込口１と熱交換器全てとの接続を遮断する機構を備えることで、第１風向調整板１４の作動不全を抑制することはできないものの熱交換器の給気流路及び排気流路の目詰まりが発生することは抑制でき、部分的に風路遮蔽手段として効果を発揮することができる。
【０２２１】
なおこの場合、第１風向調整板１４の作動部の断熱を厚くするとともに、例えば第１風向調整板１４の動力発生部としてモーターを用い、前記モーターに用いるグリスを−３５℃まで潤滑性を保つものに変更することや、作動部の軸を予熱するヒーターを導入することでより好適な構成となる。
【０２２２】
（実施の形態１６）
図８に示すように、循環原動機１３の運転時に、給気送風手段９によって室内へ送られる室外の空気と、循環送風手段１１によって室内へ送られる室内の空気を混合して給気する構成とする。
【０２２３】
具体的には例えば、給気送風手段９の下流側で室内給気口４の上流側の給気流経路２９へ循環送風手段１１の下流側の循環空気流経路３１を合流させ、本体箱５内で混合した後に室内給気口４を通して室内へ給気する構成とする。
【０２２４】
給気流経路２９を通過して室内へ給気される空気よりも循環空気流経路３１を通過して室内へ循環する空気の温度のほうが高く、給気される空気と循環する空気を混合することで、室内へ給気される空気の温度を上昇させることができ、室内給気口４近傍の空間の温度低下を抑制することができる。
【０２２５】
特に実施の形態１４の構成をとる場合、給気流経路２９を通過して室内へ給気される空気の風量が減少し、循環空気流経路３１を通過して室内へ循環する空気の風量が増加するため、室内へ給気する空気の温度がより上昇し好適である。
【０２２６】
なお、室内給気口４の近傍に循環空気排出口２２を設置し、吐出された空気が室内ですぐに混ざるような構成でも同様の効果が得られる。
【０２２７】
（実施の形態１７）
熱交換器を、排気流路の流入口１９が鉛直下方向に開口し、排気流路の流出口２０が排気流路の流入口１９に比べ鉛直上方向に位置する構成とし、排気流路の流入口１９の鉛直下方向には鉛直上方向が凹状になっている皿状の構造２１が配置されている構成とする。
【０２２８】
具体的に例えば、Ｌ字型の給気流路６とＬ字型の排気流路７が交互に重なっている構成の箱型の熱交換器８を用い、図の上方向を鉛直上方向、下方向を鉛直下方向とした断面図を図９に示す。
【０２２９】
この構成により、通常時の熱交換気運転あるいは凍結時の熱交換気運転によって発生した結露や、デフロスト運転中に凍結が融かされ発生した水滴が流れ出した場合に、排気流路の流出口２０を排気流路の流入口１９の鉛直上方向に備えることで、水滴を重力によって排気流路の流入口１９へ流しだすことができる。
【０２３０】
さらに、排気流路の流入口１９を鉛直下方向へ向けることで、熱交換器内より流れてきた水滴は、排気流路の流入口１９に溜まることなく、熱交換器から流出する。ここで、排気流路の流入口１９の鉛直下方向に鉛直上方向が凹状になっている皿状の構造２１を備えることで、熱交換器より流出した水滴を皿状の構造２１の凹部分に溜めることができる。
【０２３１】
この皿状の構造２１は給気流経路２９の中でも室外の空気と熱交換を行う前の室内の暖かい空気が移動する部分にあり、水滴を室内の暖かい空気により乾燥させることができる。
【０２３２】
なお、実施の形態１３において、第１結露検知手段３２及び第２結露検知手段３３として電極間の抵抗値を利用した水滴検知手段を用いた場合、実施の形態１３において例示した設置場所のほかに、排気流路の流入口１９または皿状の構造２１の凹部分に設置する構成もあげられる。
【０２３３】
この構成により、熱交換器内より流れ集まってきた水滴から結露を検知することができる。また、皿状の構造２１の凹部分に設置する場合では前記凹部分の底に対する鉛直方向の設置高さを変化させることで、所定の水滴量が前記凹部分へ蓄積したことを検知し、給気排気原動機１２の回転数を低下し、循環原動機１３の回転数を上昇させることで結露をより確実に乾燥させることができる。
【産業上の利用可能性】
【０２３４】
本発明に係る熱交換形換気装置は、室外がきわめて低い温度であっても、本来の熱交換換気を継続して行うことができ、寒冷地の冬季に熱交換換気する換気装置として有用である。
【図面の簡単な説明】
【０２３５】
【図１】（ａ）本発明における実施の形態１、通常時の熱交換気運転中の熱交換形換気装置を示す水平断面図、（ｂ）本発明における実施の形態１、通常時の熱交換気運転中の熱交換形換気装置を示す鉛直断面図
【図２】同、第１デフロスト運転及び第２凍結時の熱交換気運転中の熱交換形換気装置を示す水平断面図及び鉛直断面図
【図３】同、第２デフロスト運転及び第１凍結時の熱交換気運転中の熱交換形換気装置を示す水平断面図及び鉛直断面図
【図４】（ａ）本発明における実施の形態１０の第２風向調整板を示す概略水平断面図、（ｂ）本発明における実施の形態１０の第２風向調整板を示す概略鉛直断面図、（ｃ）本発明における実施の形態１０の第２風向調整板を示す概略分解斜視図
【図５】（ａ）本発明における実施の形態１３の熱交換形換気装置を示す水平断面図、（ｂ）本発明における実施の形態１３の熱交換形換気装置を示す鉛直断面図
【図６】同、実施の形態１４の熱交換形換気装置を示す水平断面図及び鉛直断面図
【図７】同、実施の形態１５の熱交換形換気装置を示す水平断面図及び鉛直断面図
【図８】同、実施の形態１６の熱交換形換気装置を示す水平断面図及び鉛直断面図
【図９】本発明における実施の形態１７の熱交換器と皿状の構造を示す概略分解斜視図
【図１０】従来の熱交換器ユニットを示す概略断面図
【符号の説明】
【０２３６】
１    室外吸込口
２    室内吸込口
３    室外排出口
４    室内給気口
５    本体箱
６    給気流路
７    排気流路
８    熱交換器
９    給気送風手段
１０  排気送風手段
１１  循環送風手段
１２  給気排気原動機
１３  循環原動機
１４  第１風向調整板
１５  第２風向調整板
１６  結露検知手段
１７  温度検知手段
１８  ダンパー
１９  排気流路の流入口
２０  排気流路の流出口
２１  皿状の構造
２２  循環空気排出口
２３  第１熱交換器
２４  第２熱交換器
２５  第１給気流路
２６  第１排気流路
２７  第２給気流路
２８  第２排気流路
２９  給気流経路
３０  排気流経路
３１  循環空気流経路
３２  第１結露検知手段
３３  第２結露検知手段
３４  第１熱交換器‐排気送風手段を接続する開口
３５  第１熱交換器‐循環送風手段を接続する開口
３６  第２熱交換器‐排気送風手段を接続する開口
３７  第２熱交換器‐循環送風手段を接続する開口
３８  外気温度検知手段
【図１】
2010236768.tif 000003
【図２】
2010236768.tif 000004
【図３】
2010236768.tif 000005
【図４】
2010236768.tif 000006
【図５】
2010236768.tif 000007
【図６】
2010236768.tif 000008
【図７】
2010236768.tif 000009
【図８】
2010236768.tif 000010
【図９】
2010236768.tif 000011
【図１０】
2010236768.tif 000012